(57)【特許請求の範囲】
【請求項１】
継手本体内に差し込まれるパイプに引き抜き力が作用したときに縮径しパイプに食い込んでパイプの抜け出しを規制する抜け止めリングを備えた継手において、
前記抜け止めリングは円環状のベースリングと、そのベースリングの内周部からパイプの差し込み方向へ傾斜して延びる規制片とより構成されるとともに、閉じた円環状の補助ベースリングと、その補助ベースリングの内周部からパイプの差し込み方向へ傾斜して延びる補助規制片とを有する補助リングを前記抜け止めリングのパイプ差し込み側に並べて配置し、パイプに加わる引き抜き力による規制片の傾斜を補助規制片が制限し、かつ補助規制片がパイプを把持して抜け出しを補助的に規制するように構成し、
前記補助リングの内径は、抜け止めリングの内径よりも大きく設定されていることを特徴とする継手。
【請求項２】
前記補助リングの内径は、パイプの外径よりも大きく設定されていることを特徴とする請求項１に記載の継手。
【請求項３】
前記補助リングの厚さを抜け止めリングの厚さより厚くなるように設定して剛性を高めるように構成することを特徴とする請求項１又は請求項２に記載の継手。
【発明の詳細な説明】
【技術分野】
【０００１】
本発明は、例えば給水、給湯系の配管システムにおいてパイプ（管材）の端部同士又はパイプの端部と水栓器具とを接続するために用いられる継手に関するものである。
【背景技術】
【０００２】
従来より、継手にパイプをワンタッチで接続するための継手が知られている（例えば、特許文献１を参照）。すなわち、この継手は、パイプが接続される円筒形のソケット（継手本体）と、その継手本体に螺着されるキャップ（ナット）と、ナットと継手本体との間に配設されるパイプ保持リング（抜け止めリング）と、抜け止めリングに併設されるバックアップリングとを備えている。バックアップリングは、抜け止めリングに対しパイプ挿入方向の入口側に配置され、その先端には抜け止めリングに設けられた爪の傾斜方向へ突出する突部が形成されている。このように構成された継手においては、パイプに抜け方向の力が加わったとき、バックアップリングにより、抜け止めリングの爪が反り返らないように拘束され、パイプと継手本体との接続が維持されている。
【特許文献１】特開平３−６９８９４号公報（第１頁〜第３頁）
【発明の開示】
【発明が解決しようとする課題】
【０００３】
ところが、特許文献１に記載されている継手においては次のような問題があった。すなわち、パイプに対する抜け止めリングの食い込み量を少なくするようにその内径を大きめに設定した場合、パイプに対して引き抜き力が瞬時に加わったとき抜け止めリングがパイプに十分食い込まないため、抜け止めリングがパイプの外周部を削りながらパイプが継手から抜け出てしまう場合があった。逆に、パイプに対する抜け止めリングの食い込み量を多くするようにその内径を小さめに設定した場合、パイプ挿入時の抵抗が大きくなり、施工がしづらくなるとともに、パイプに引き抜き力が瞬時に加わったとき抜け止めリングの爪がパイプに食い込んでパイプが切断される場合があるという問題があった。
【０００４】
そこで本発明の目的とするところは、接続されたパイプの抜け出しを効果的に抑制することができるとともに、パイプに引き抜き力が瞬時に加わったときでもパイプが切断される事態を回避することができる継手を提供することにある。
【課題を解決するための手段】
【０００５】
上記の目的を達成するために、請求項１に記載の発明の継手は、継手本体内に差し込まれるパイプに引き抜き力が作用したときに縮径しパイプに食い込んでパイプの抜け出しを規制する抜け止めリングを備えた継手において、前記抜け止めリングは円環状のベースリングと、そのベースリングの内周部からパイプの差し込み方向へ傾斜して延びる規制片とより構成されるとともに、閉じた円環状の補助ベースリングと、その補助ベースリングの内周部からパイプの差し込み方向へ傾斜して延びる補助規制片とを有する補助リングを前記抜け止めリングのパイプ差し込み側に並べて配置し、パイプに加わる引き抜き力による規制片の傾斜を補助規制片が制限し、かつ補助規制片がパイプを把持して抜け出しを補助的に規制するように構成し、前記補助リングの内径は、抜け止めリングの内径よりも大きく設定されていることを特徴とするものである。
【０００６】
請求項２に記載の発明の継手は、請求項１に係る発明において、前記補助リングの内径は、パイプの外径よりも大きく設定されていることを特徴とするものである。
【０００７】
請求項３に記載の発明の継手は、請求項１又は請求項２に係る発明において、前記補助リングの厚さを抜け止めリングの厚さより厚くなるように設定して剛性を高めるように構成することを特徴とするものである。
【発明の効果】
【０００８】
本発明によれば、次のような効果を発揮することができる。
請求項１に記載の発明の継手においては、補助リングが抜け止めリングのパイプ差し込み側に並べて配置される。そして、パイプに引き抜き力が加わって抜け止めリングの規制片がパイプに食い込んで傾斜したとき、その傾斜が補助リングの補助規制片により制限される。さらに、補助リングの補助規制片がパイプを把持し、パイプの抜け出しを補助的に規制する。従って、抜け止めリングと補助リングの協働作用により、接続されたパイプの抜け出しを効果的に抑制することができるとともに、パイプに引き抜き力が瞬時に加わったときでもパイプが切断される事態を回避することができる。
【０００９】
また、補助リングの内径が抜け止めリングの内径よりも大きく設定されていることから、補助リングが抜け止めリングを支えて補助する効果を発揮することができる。
【００１０】
請求項２に記載の発明の継手では、補助リングの内径がパイプの外径よりも大きく設定されていることから、継手本体内へのパイプの差し込み時に補助リングの抵抗を受けることがないので、パイプの差し込み操作を容易に行うことができる。
【００１１】
請求項３に記載の発明の継手では、補助リングの厚さが抜け止めリングの厚さより厚くなるように設定されて剛性を高めるように構成されている。このため、補助リングが抜け止めリングの規制片の傾斜を効果的に制限し、パイプに対する抜け止めリングの規制片の食い込みを抑制することができる。
【発明を実施するための最良の形態】
【００１２】
以下、本発明の最良と思われる実施形態につき、図面を用いて詳細に説明する。
図１に示すように、ワンタッチ継手すなわちパイプ１１を差し込むだけで抜け止め保持することができる継手１０には、例えば水を通すパイプ（管材）１１が接続される。係る継手１０を構成する継手本体１２の基端部には図示しない水道配管等の管体に螺合される雄ねじ部１３が設けられるとともに、先端部には縮径されて延びる案内筒部１４が設けられている。ここで、各部材について図１の左側を基端部（基端側）といい、図１の右側を先端部（先端側）という。継手本体１２はほぼ円筒状に形成され、その内部の貫通孔１５を水が流通するようになっている。前記案内筒部１４にはパイプ１１の端部が外嵌されて接続されるようになっている。パイプ１１は、ポリオレフィン（架橋ポリエチレン、ポリブテン等）等の合成樹脂や、合金（真鍮、青銅等）等の金属により形成されている。
【００１３】
継手本体１２の中央部には、スパナなどの工具を係合するための軸線方向から見て六角形状をなす工具係合部１６が設けられている。継手本体１２の先端側には、継手本体１２を構成するほぼ円筒状の胴筒体１７が雄ねじ１８と雌ねじ１９との螺合関係により連結されている。
【００１４】
胴筒体１７の先端外周のねじ部２０には継手本体１２を構成する締付ナット２１が螺合され、胴筒体１７の先端面と締付ナット２１内周の段部２２との間に抜け止めリング（ロックリング）２３のベースリング２３ａが保持されている。図２及び図３（ａ）、（ｂ）に示すように、抜け止めリング２３は、円環状をなす外周側の該ベースリング２３ａと、そのベースリング２３ａの内周部から折曲げられて斜めに延びる複数枚（本実施形態では１６枚）の規制片２３ｂとを備えている。各規制片２３ｂはほぼ五角板状をなしている。抜け止めリング２３はステンレス鋼により厚さ０．２〜０．３ｍｍに形成され、規制片２３ｂはパイプ１１の差し込み方向に傾斜し、その傾斜角度（継手本体１２の軸線方向に対する傾斜角度）は約４５度に設定されている。なお、図１に示すように、胴筒体１７と締付ナット２１とのねじ部２０にはシール材２４が装着され、胴筒体１７と締付ナット２１との間の水のシールと締付ナット２１の緩み止めの機能を果たしている。
【００１５】
締付ナット２１の内周面には、前記段部２２より先端側に連なる傾斜面２５が形成されている。この傾斜面２５の傾斜角度（継手本体１２の軸線方向に対する傾斜角度）は約３０度に設定されている。前記案内筒部１４の外周面と、胴筒体１７及び締付ナット２１の内周面との間の空間部にパイプ１１が差し込まれるパイプ差し込み空間２６が形成されている。
【００１６】
締付ナット２１の内側空間で前記抜け止めリング２３の先端側すなわちパイプ１１の差し込み側には、金属製の補助リング２７が抜け止めリング２３に重ね合わされるように配置されている。図２及び図４（ａ）、（ｂ）に示すように、補助リング２７は円環状をなす外周側の補助ベースリング２７ａと、その補助ベースリング２７ａの内周部から折曲げられて斜めに延びる複数枚（本実施形態では１６枚）の補助規制片２７ｂとを備えている。各補助規制片２７ｂはほぼ台形板状をなし、その内周縁は内方へ円弧状に膨らんでいる。
【００１７】
補助リング２７はステンレス鋼により厚さ０．３〜０．５ｍｍに形成され、補助規制片２７ｂはパイプ１１の差し込み方向に傾斜し、その傾斜角度は抜け止めリング２３と同じ約４５度に設定されている。この補助リング２７の内径（各補助規制片２７ｂの内端部を結ぶ円を軸線方向から見たときの円の直径）は抜け止めリング２３の内径（各規制片２３ｂの内端部を結ぶ円を軸線方向から見たときの直径）より大きく設定されている。補助リング２７の厚さは、抜け止めリング２３の厚さより厚くなるように設定され、その剛性を高めるように構成されている。本実施形態では、補助リング２７の各補助規制片２７ｂが抜け止めリング２３の各規制片２３ｂと丁度重なるように配置され、パイプ１１に引き抜き力が加えられたときに各規制片２３ｂの傾斜による力を各補助規制片２７ｂが受け止めるようになっている。
【００１８】
図５（ａ）に示すように、補助リング２７の補助ベースリング２７ａ先端面と締付ナット２１の段部２２との間には隙間ｓが形成され、抜け止めリング２３及び補助リング２７がパイプ１１の回動によって回動（共回り）できるようになっている。係る隙間ｓは、０．１〜０．４ｍｍに形成されることが好ましい。
【００１９】
補助リング２７の内径は特に制限されず、パイプ１１の外径より小さくてもよいが、パイプ差し込み空間２６へのパイプ１１の差し込み時の抵抗をなくして差し込みを容易にするため、パイプ１１の外径よりも大きくなるように設定することが好ましい。
【００２０】
図１に示すように、前記案内筒部１４の基端側には２つの環状溝２８が凹設され、それぞれ異なる形状のシールリング２９が嵌着され、案内筒部１４の外周面とパイプ差し込み空間２６に差し込まれたパイプ１１の内周面との間で水をシールするようになっている。案内筒部１４の先端部にはパイプ１１の内周面を押圧し、前記抜け止めリング２３の規制片２３ｂ及び補助リング２７の補助規制片２７ｂと協働してパイプ１１の抜け止めを行う鍔部３０が設けられている。この鍔部３０はパイプ１１の差し込み時にパイプ１１の変形を矯正する機能をも有している。なお、胴筒体１７にはパイプ１１の差し込み具合を確認するための確認孔３１が複数（本実施形態では６個）設けられている。この確認孔３１は、内部が透視でき、かつごみが入らないような透明樹脂フィルムで覆われている。
【００２１】
さて、本実施形態の作用について説明すると、図５（ａ）に示すように、パイプ１１を締付ナット２１の開口端よりパイプ差し込み空間２６に差し込むと、パイプ１１は補助リング２７の内側を通り、抜け止めリング２３の規制片２３ｂに摺接し、規制片２３ｂを拡径変形させながらパイプ差し込み空間２６の最も奥に到って止まる。このとき、補助リング２７の内径はパイプ１１の外径より大きく設定されているため、パイプ１１差し込み時における補助規制片２７ｂの抵抗はなく、抜け止めリング２３を通過するときには抜け止めリング２３が１枚であるため、差し込み時の抵抗は少なく、パイプ１１の差し込みを円滑に行うことができる。
【００２２】
次に、図５（ｂ）に示すように、継手本体１２に接続されたパイプ１１に引き抜き力が加わったときには、抜け止めリング２３の規制片２３ｂがパイプ１１の外周部に食い込み、その軸線方向に対する規制片２３ｂの傾斜角度が大きくなる。そのとき、抜け止めリング２３の規制片２３ｂが補助リング２７の補助規制片２７ｂに当たるため、その力が補助規制片２７ｂに受け止められる。それと同時に、補助リング２７の補助規制片２７ｂはパイプ１１に接触してパイプ１１を把持するように作用し、パイプ１１の外周面を締付けて保持する。
【００２３】
図５（ｃ）に示すように、パイプ１１にさらに強い引き抜き力が加わったときには、抜け止めリング２３の規制片２３ｂがパイプ１１の外周部に深く食い込み、その軸線方向に対する規制片２３ｂの傾斜角度が一層大きくなる。このとき、抜け止めリング２３の規制片２３ｂから補助リング２７の補助規制片２７ｂに強い力が加えられるが、補助リング２７は抜け止めリング２３よりも厚く形成されて剛性が高められているため、規制片２３ｂの傾斜が制限され、パイプ１１への規制片２３ｂの過度の食い込みが抑制される。それと同時に、補助リング２７の補助規制片２７ｂもパイプ１１に食い込み、パイプ１１の外周面を強く押圧して締付けることができる。加えて、案内筒部１４先端の鍔部３０がパイプ１１の内周部に接触して食い込む。よって、抜け止めリング２３及び補助リング２７のパイプ１１への食い込みに加え、補助リング２７の締付け及び案内筒部１４の鍔部３０によるパイプ１１の押圧及び食い込みにより、パイプ１１の抜け止めが確実に行われる。
【００２４】
以上詳述した実施形態によって発揮される効果を以下にまとめて説明する。
・  本実施形態の継手１０においては、補助リング２７が抜け止めリング２３のパイプ差し込み側に重ねて配置される。従って、抜け止めリング２３と補助リング２７の協働作用により、接続されたパイプ１１の抜け出しを効果的に抑制することができるとともに、パイプ１１に引き抜き力が瞬時に加わったときでもパイプ１１が切断される事態を回避することができる。
【００２５】
・  前記補助リング２７の内径が抜け止めリング２３の内径よりも大きく設定することにより、補助リング２７が抜け止めリング２３を支えて補助する効果を発揮することができる。
【００２６】
・  補助リング２７の内径をパイプ１１の外径よりも大きく設定することにより、継手本体１２内へのパイプ１１の差し込み時に補助リング２７の抵抗を受けることがないので、パイプ１１の差し込み操作を容易に行うことができる。
【００２７】
・  補助リング２７の厚さを抜け止めリング２３の厚さより厚くなるように設定して剛性を高めるように構成することにより、補助リング２７が抜け止めリング２３の規制片２３ｂの傾斜を効果的に制限し、パイプ１１に対する抜け止めリング２３の規制片２３ｂの食い込みを抑制することができる。
【００２８】
・  補助リング２７の補助ベースリング２７ａ外周部先端面と締付ナット２１の段部２２との間には隙間ｓが設けられ、抜け止めリング２３と補助リング２７とが移動可能に構成されている。このため、抜け止めリング２３及び補助リング２７は、パイプ１１の回動に追従して回動することができる。
【００２９】
なお、前記実施形態を次のように変更して構成することもできる。
・  図６に示すように、抜け止めリング２３の形状を、各規制片２３ｂの内周縁が円弧状に膨出するように構成することもできる。
【００３０】
・  図７（ａ）に示すように、補助リング２７の各補助規制片２７ｂを５角板状に形成することもできる。図７（ｂ）に示すように、補助リング２７の補助規制片２７ｂとして、五角板状のものと台形板状のものとが周方向に交互に位置するように構成することもできる。図７（ｃ）に示すように、補助リング２７の補助規制片２７ｂを台形板状で、その内周縁が補助ベースリング２７ａの内周縁と平行に円弧状に延びるように構成することもできる。図７（ｄ）に示すように、補助リング２７の補助規制片２７ｂを実施形態と同じほぼ台形板状に形成するとともに、１箇所に切り込み部３２を設け、縮径可能に構成することもできる。
【００３１】
・  実施形態に示した五角板状の規制片２３ｂを有する抜け止めリング２３と、図７（ａ）に示す補助リング２７とを組み合わせて配置することができる。その場合、継手本体１２の軸線方向から見て図８（ａ）に示すように規制片２３ｂと補助規制片２７ｂとを規制片２３ｂ又は補助規制片２７ｂの半分の幅だけ相互に周方向に回転させて配置するか、又は図８（ｂ）に示すように規制片２３ｂと補助規制片２７ｂとを周方向に一致させて配置することができる。図８（ａ）の場合には、１枚の規制片２３ｂが隣接する２枚の補助規制片２７ｂに支持される。図８（ｂ）の場合には、１枚の規制片２３ｂが１枚の補助規制片２７ｂに支持される。なお、規制片２３ｂと補助規制片２７ｂとを規制片２３ｂ又は補助規制片２７ｂの１／３、１／４等の任意の幅だけ相互に周方向に回転させて配置することができる。
【００３２】
・  前記抜け止めリング２３と補助リング２７の厚さを同じにし、材質を補助リング２７が抜け止めリング２３より剛性が高くなるように設定することもできる。
・  前記抜け止めリング２３のベースリング２３ａと補助リング２７の補助ベースリング２７ａとを接着剤で接着するなどして一体化することも可能である。
【００３３】
・  前記案内筒部１４を省略するとともに、パイプ差し込み空間２６に面する胴筒体１７の内周部に環状溝を設け、その環状溝にシールリングを嵌着するように構成することもできる。
【００３４】
・  前記継手本体１２と胴筒体１７とを一体に形成することもできる。
・  前記案内筒部１４を継手本体１２とは別体で構成し、ねじで螺合するように構成することもできる。
【００３５】
・  継手本体１２の雄ねじ１８と胴筒体１７の雌ねじ１９との螺合部にシール材を装着することもできる。
・  前記シールリング２９を１本又は３本以上にしたり、確認孔３１を省略したりしてもよい。
【００３６】
・  また、継手１０及びパイプ１１には水を流通させたが、継手１０を温水配管に接続して湯を流通させたり、床暖房、ロードヒーティング用に油、エチレングリコール等を流通させたりしてもよい。
【００３７】
さらに、前記実施形態より把握される技術的思想について以下に記載する。
・  前記継手本体内には、パイプが外嵌される案内筒部が突設され、該案内筒部の先端にはパイプの内周面を押圧し前記抜け止めリング及び補助リングと協働してパイプの抜け止めを行う鍔部が設けられていることを特徴とする前記継手。この場合、抜け止めリング及び補助リングがパイプを外周部から押圧して締付け、その押圧力によって案内筒部の鍔部がパイプの内周部からパイプを押圧して締付けるため、パイプの抜け止め効果を一層向上させることができる。
【００３８】
・  前記補助リングの補助規制片は、接続されたパイプに引き抜き力が作用したときにパイプに食い込み可能に構成されていることを特徴とする前記継手。このように構成した場合、パイプの抜け止め効果を向上させることができる。
【図面の簡単な説明】
【００３９】
【図１】実施形態の継手にパイプを差し込む前の状態を示す半縦断面図。
【図２】抜け止めリング及び補助リングを示す分解斜視図。
【図３】（ａ）は実施形態の抜け止めリングを示す半断面図、（ｂ）は抜け止めリングを示す正面図。
【図４】（ａ）は実施形態の補助リングを示す半断面図、（ｂ）は補助リングを示す正面図。
【図５】（ａ）〜（ｃ）は実施形態の作用を示す図であって、（ａ）は継手にパイプを差し込んだ状態を示す部分断面図、（ｂ）は継手に差し込まれたパイプを引き抜く状態を示す部分断面図、（ｃ）は継手に差し込まれたパイプを強く引き抜く状態を示す部分断面図。
【図６】抜け止めリングの別例を示す正面図。
【図７】（ａ）〜（ｄ）は補助リングの別例を示す正面図。
【図８】（ａ）及び（ｂ）は抜け止めリングと補助リングの軸線方向から見た配置を示す正面図。
【符号の説明】
【００４０】
１０…継手、１１…パイプ、１２…継手本体、１７…継手本体を構成する胴筒体、２１…継手本体を構成する締付ナット、２３…抜け止めリング、２３ａ…ベースリング、２３ｂ…規制片、２７…補助リング、２７ａ…補助ベースリング、２７ｂ…補助規制片。
【図１】
0004804919.tif 000002
【図２】
0004804919.tif 000003
【図３】
0004804919.tif 000004
【図４】
0004804919.tif 000005
【図５】
0004804919.tif 000006
【図６】
0004804919.tif 000007
【図７】
0004804919.tif 000008
【図８】
0004804919.tif 000009